(57)【特許請求の範囲】
【請求項１】
プレイヤが操作する操作部を前面に設けた筐体と、
景品を収納する景品収納部と、
前記筐体の背面から片持ち構造により筐体前面に向けて支持される固定ガイド部と、
前記固定ガイド部に横架され、前記固定ガイド部に沿って移動する移動ガイド部と、
前記移動ガイド部に吊下され、前記移動ガイド部に沿って移動し、前記景品収納部内の景品を把持する景品把持部と、
を備えたことを特徴とする景品獲得ゲーム装置。
【請求項２】
前記固定ガイド部は、前記筐体の上面近傍に設けられたことを特徴とする請求項１に記載の景品獲得ゲーム装置。
【請求項３】
前記景品収納部は、前記筐体の少なくとも前面及び上面を覆う前記透明カバーを有することを特徴とする請求項１に記載の景品獲得ゲーム装置。
【請求項４】
前記透明カバーは、上下方向に回動可能に取り付けられたことを特徴とする請求項３に記載の景品獲得ゲーム装置。
【請求項５】
プレイヤが操作する操作部を前面に設けた筐体と、
景品を収納する景品収納部と、
前記筐体の背面から片持ち構造により筐体前面に向けて支持される一対の固定ガイド部と、
前記一対の固定ガイド部間に横架され、前記固定ガイド部に沿って移動する移動ガイド部と、
前記移動ガイド部に吊下され、前記移動ガイド部に沿って移動し、前記景品収納部内の景品を把持する景品把持部と、
前記筐体に上下方向に回動可能に取り付けられ、少なくとも前記景品収容部の前面及び上面を覆う透明カバーと、
を備え、
前記透明カバーを上方に回動させることにより、前記固定ガイド部、前記移動ガイド部及び前記景品把持部が前記景品収納部内に支持されたままで露出するように前記景品収納部が開いた状態になることを特徴とする景品獲得ゲーム装置。
【発明の詳細な説明】
【０００１】
【発明の属する技術分野】
本発明は景品獲得ゲーム装置に係り、特にケース内に収容された景品の上方に把持部を移動させて目標とする景品を獲得する景品獲得ゲーム装置に関する。
【０００２】
【従来の技術】
例えばゲームセンタ等に設置されるゲーム装置の一種に景品を獲得する景品獲得ゲーム装置としてクレーンゲーム装置がある。このクレーンゲーム装置は、主としてキャラクタ商品の人形などよりなる景品が多数収容された透明なケースと、このケースの前面に設けられた操作部の操作釦を操作することにより景品を把持する把持部を移動させるクレーン機構と、を有する。また、ケースの内部には、外部と連通する景品排出口が設けられ、把持部に把持された景品はこの景品排出口の上方に移動して把持部が開くと景品排出口へ落下して、外部に開口する景品受取口に至る。
【０００３】
プレイヤは、操作部の操作釦を操作することにより獲得しようとする景品に対してクレーン機構を動作させて把持部が目標とする景品の真上に到着したと思われるとき操作釦の操作を停止させる。その後、把持部は自動的に降下し、ケース底部に到着すると把持部が閉じて降下位置の景品を掴む。そして、把持部は景品を把持したまま上昇して景品排出口の上方に移動した後、把持部を開いて景品を景品排出口へ落とす。
【０００４】
この種のクレーンゲーム装置としては、一般に▲１▼クレーン機構の把持部が大人の目の高さを移動する構成のものと、▲２▼クレーン機構の把持部が子供の目の高さ位置を移動する構成のものがある。
【０００５】
【発明が解決しようとする課題】
しかしながら、上記▲１▼のクレーンゲーム装置では、装置全体が大きいので、目立ちやすい反面設置スペースが大きく、設置スペースの狭い場所に設置することが難しい。特に、背の低い子供がプレイする場合、▲１▼のクレーンゲーム装置では、クレーン機構の把持部が上の方に見えるので、操作がしにくくいといった問題がある。
【０００６】
また、上記▲２▼のクレーンゲーム装置では、装置全体が小さいので、設置スペースが小さくて済み、狭い場所でも設置可能である反面、目立たないといった問題がある。さらに、▲２▼のクレーンゲーム装置では、クレーン機構を動作させて把持部をＸ，Ｙ方向に水平移動させる際、大人の場合視点がケースの上方になるため、上面ガラスに天井からの照明が反射してケース内部が見えにくかった。
【０００７】
また、例えばディスプレイを有するようなシュミレーションゲーム装置等と外観上のデザインが異なっているため、他のゲーム装置と並べられた場合、他のゲーム装置と高さ寸法や奥行き寸法が異なるので周囲との釣り合いが取れない場合がある。
そこで、本発明は上記課題を解決した景品獲得ゲーム装置を提供することを目的とする。
【０００８】
【課題を解決するための手段】
上記課題を解決するために本発明では、下記の手段を講じたことを特徴とするものである。
上記請求項１記載の発明は、プレイヤが操作する操作部を前面に設けた筐体と、
景品を収納する景品収納部と、
前記筐体の背面から片持ち構造により筐体前面に向けて支持される固定ガイド部と、
前記固定ガイド部に横架され、前記固定ガイド部に沿って移動する移動ガイド部と、
前記移動ガイド部に吊下され、前記移動ガイド部に沿って移動し、前記景品収納部内の景品を把持する景品把持部と、
を備えたことを特徴とするものである。
【０００９】
従って、上記請求項１記載の発明によれば、筐体の背面から片持ち構造により筐体前面に向けて支持される固定ガイド部に横架された移動ガイド部に支持された景品把持部を移動させて景品を獲得するため、前面側にガイド機構を設けない構成となり、プレイヤから筐体内部が見やすくなり、景品把持部の動きを視認しやすくなる。そのため、景品把持部の動きが見やすいので、子供がプレイしやすくなるよう装置の上面高さ低くすることが可能になる。
【００１０】
また、上記請求項２記載の発明は、前記固定ガイド部が、前記筐体の上面近傍に設けられたことを特徴とするものである。
従って、請求項２の発明によれば、固定ガイド部が筐体の上面近傍に設けられたため、プレイヤから筐体内部が見やすくなり、景品把持部の動きを視認しやすくなる。
【００１１】
また、上記請求項３記載の発明は、景品収納部は、前記筐体の少なくとも前面及び上面を覆う前記透明カバーを有することを特徴とするものである。
従って、請求項３の発明によれば、筐体の少なくとも前面及び上面を覆う透明カバーを有するため、筐体の上端高さを低くして子供がプレイする場合は透明カバーの前面より把持部の動きを見やすくでき、大人がプレイする場合は透明カバーの前面又は上面から把持部の動きを見ることができる。また、他のゲーム装置と並べられても違和感がなく周囲のゲーム装置とデザイン的に融合して設置しやすくなる。また、プレイヤに対し天井の照明が窓ガラスで反射しにくいので、筐体内部の状態が確認しやすくなり、プレイヤの負担を軽減することができる。
【００１２】
また、上記請求項４記載の発明は、前記透明カバーが、上下方向に回動可能に取り付けられたことを特徴とするものである。
従って、請求項４の発明によれば、透明カバーを上方に回動させて景品収納部を全開状態にすることにより、景品の補充や交換作業が容易に行なえると共に、筐体内部のメンテナンスも容易に行なうことができる。
また、上記請求項５記載の発明は、プレイヤが操作する操作部を前面に設けた筐体と、
景品を収納する景品収納部と、
前記筐体の背面から片持ち構造により筐体前面に向けて支持される一対の固定ガイド部と、
前記一対の固定ガイド部間に横架され、前記固定ガイド部に沿って移動する移動ガイド部と、
前記移動ガイド部に吊下され、前記移動ガイド部に沿って移動し、前記景品収納部内の景品を把持する景品把持部と、
前記筐体に上下方向に回動可能に取り付けられ、少なくとも前記景品収容部の前面及び上面を覆う透明カバーと、
を備え、
前記透明カバーを上方に回動させることにより、前記固定ガイド部、前記移動ガイド部及び前記景品把持部が前記景品収納部内に支持されたままで露出するように前記景品収納部が開いた状態になることを特徴とする。
従って、請求項５の発明によれば、透明カバーを上方に回動させることにより、固定ガイド部、移動ガイド部及び景品把持部が前記景品収納部内に支持されたままで露出するため、固定ガイド部、移動ガイド部及び景品把持部のメンテナンスも容易に行なうことができる。
【００１３】
【発明の実施の形態】
以下、図面と共に本発明の実施の形態について説明する。
図１は本発明になる景品獲得ゲーム装置の一実施例としてのクレーンゲーム装置の斜視図である。また、図２は透明カバーを開いた状態を示す斜視図である。また、図３はクレーンゲーム装置１１の正面図である。また、図４はクレーンゲーム装置１１の平面図である。
【００１４】
図１乃至図４に示すように、クレーンゲーム装置１１の筐体１２は、従来のものと比べて横幅寸法及び奥行き寸法が小さく、且つ高さ寸法が大人の背丈より低く、子供より高くなっている。そのため、クレーンゲーム装置１１は、設置スペースが小さく、且つコンパクトな構成とされた省スペースタイプの景品獲得ゲーム装置である。このクレーンゲーム装置１１は、筐体１２の内部に景品収納部１２ａが設けられ、筐体１２には景品収納部１２ａを開閉する大型の透明カバー１３が取り付けられている。
【００１５】
透明カバー１３は、例えば透明なアクリル板等により景品収納部１２ａの前面側、上面側、左右側面を覆うように形成されており、前面側だけなく上面側及び左右側面からも筐体１２の景品収納部１２ａを見ることができる。そのため、背の低い子供は透明カバー１３の前面１３ａから景品収納部１２ａ又は左右側面１３ｂ，１３ｃを見ることができ、背の高い大人は透明カバー１３の前面１３ａ又は上面１３ｄから景品収納部１２ａを見ることができる。また、前面１３ａと上面１３ｄとの間は、角が無く曲面１３ｅが形成されているので、斜め上方からでも景品収納部１２ａを見ることができる。
【００１６】
また、透明カバー１３は、筐体１２の上部に設けられた蝶番１４により上下方向に回動可能に支持されている。そのため、筐体１２の景品収納部１２ａは、図２に示すように透明カバー１３を上方に回動させるだけで、全開状態とすることができる。
よって、クレーンゲーム装置１１では、景品収納部１２ａが正面だけでなく左右両側も全開となるので、新しい景品を入れたり、あるいは景品の交換や景品を並べ換える際の作業が容易に行えると共に、クレーン機構１５のメンテナンスも容易に行える。また、透明カバー１３を上方に開いた際に景品収納部１２ａに載置されている景品（図示せず）が側方に落下することを防止するためのフェンス１２ｃが突出している。
【００１７】
さらに、透明カバー１３は、景品収納部１２ａの前面側だけでなく上面側、左右側面も覆うように形成されているので、景品収納部１２ａの照明（図示せず）が点灯すると、透明カバー１３の表面積が大きいので、顧客に存在感をアピールすることができる。このように、クレーンゲーム装置１１は、大きな透明カバー１３によりデザイン的にも外観形状が従来のものと全く異なる形状であるので、顧客に対し新鮮な解放感を与えることができ、これにより集客率を高めることができる。
【００１８】
また、景品収納部１２ａの上部には、景品を把持して運搬するクレーン機構１５が設けられている。クレーン機構１５は、筐体１２の後部壁面に支持されており、前側には支柱が設けられていない。そのため、透明カバー１３の内側に支柱が起立しないため、遊技者は透明カバー１３の内側に形成された景品収納部１２ａが見やすくなっている。
【００１９】
筐体１２の前側には、操作部１６が設けられている。そして、操作部１６の上面には、コイン投入口１７、Ｙ方向操作スイッチ１８、Ｘ方向操作スイッチ１９が配設されている。
また、操作部１６の下方に形成された前面パネル１２ｂには、景品受取口２０と、コイン返却口２１とが設けられている。景品受取口２０は、景品収納部１２ａの底部で開口された景品投入口２２と連通されている。
【００２０】
さらに、クレーン機構１５は、景品を把持する景品把持部２４を昇降可能に吊下しており、後述するように景品把持部２４を支持する駆動ユニット２５をＸ，Ｙ方向に移動させるように構成されている。また、クレーン機構１５の景品把持部２４は、ＵＦＯ形に形成されており、子供の目の高さ位置を水平移動するように設けられている。
【００２１】
そのため、背の低い子供でも透明カバー１３の前面１３ａから景品把持部２４の動きが見やすくなっている。また大人の場合には透明カバー１３の前面１３ａ又は上面１３ｄ、曲面１３ｅから景品把持部２４の動きを見ることができるので、背の高い大人でも景品把持部２４の動きが見やすくなっている。
また、クレーンゲーム装置１１は、高さ寸法が夫々他のディスプレイ付きゲーム装置と略同じため、ディスプレイ付きゲーム装置と並べて設置することができ、その場合でも大型の透明カバー１３により目立つ存在となり、集客率を確保できる。
【００２２】
図５はクレーンゲーム装置１１の左側面図である。また、図６はクレーンゲーム装置１１の右側面図である。また、図７はクレーンゲーム装置１１の背面図である。また、図８はクレーンゲーム装置１１の底面図である。
図５乃至図８に示されるように、筐体１２の左右側面１２ｄ，１２ｅ及び背面１２ｆには、運搬時に使用される把手部２７が設けられている。また、筐体１２の底面１２ｇには、運搬用のキャスタ２８と、設置用の固定脚２９とが取り付けられている。
【００２３】
図９はクレーンゲーム装置１１を右側方からみた縦断面図である。
図９に示されるように、筐体１２の内部には、景品収納部１２ａ，前面１２ｂ，底面１２ｇ，背面１２ｆを支持する支柱３０〜３３が設けられている。クレーン機構１５は、背面１２ｆを支持する支柱３３の上部から片持ち構造により前側（水平方向）に支持されている。そのため、クレーン機構１５は、透明カバー１３の前側近傍に支柱が無い構造であり、遊技者が景品収納部１２ａ及び景品把持部２４の動きが見やすい構成となっている。
【００２４】
また、景品投入口２２は、景品排出ダクト３４を介して景品受取口２０と連通されている。そして、景品排出ダクト３４の側壁には、景品が通過したことを検出する景品検出センサ３５が設けられている。
ここで、クレーン機構１５の構成について説明する。
図１０はクレーン機構１５を斜め上方からみた斜視図である。また、図１１はクレーン機構１５を斜め下方からみた斜視図である。
【００２５】
図１０及び図１１に示されるように、クレーン機構１５は、一端が筐体１２の背面側に設けられた支柱３３に固定され、他端が前側に延在する片持ち構造の腕部（固定ガイド部）３６ａ，３６ｂと、Ｙ方向（前後方向）に駆動される横架部材（移動ガイド部）３７と、横架部材３７をＹ方向（前後方向）に駆動するＹ方向駆動機構３８と、横架部材３７から吊下された景品把持部２４と、景品把持部２４をＺ方向に昇降させるＺ方向駆動機構４０と、Ｚ方向駆動機構４０をＸ方向（左右方向）に駆動するＸ方向駆動機構４１とから構成されている。
【００２６】
横架部材３７は、両端部が腕部３６ａ，３６ｂ内に設けられた一対のガイドレール４２ａ，４２ｂによりＹ方向に摺動可能にガイドされている。尚、ガイドレール４２ａ，４２ｂの基端部分は、支柱３３に固定される固定部材４２ｃに連結されている。また、Ｙ方向駆動機構３８は、Ｙ方向に延在するように装架されたスクリュウ４３と、ベベルギヤ（図示せず）を介してスクリュウ４３を回転駆動するＹ方向駆動モータ４４とからなる。横架部材３７は、端部がスクリュウ４３に螺合する螺合部４５を有しており、スクリュウ４３の回転方向によりＹ方向へ走行する。尚、螺合部４５の内部は、ボールネジ構造となっており、低摩擦で横架部材３７を駆動することができる。
【００２７】
また、横架部材３７に支持されたＸ方向駆動機構４１は、Ｘ方向に延在するように装架されたスクリュウ４６と、ベベルギヤ（図示せず）を介してスクリュウ４６を回転駆動するＸ方向駆動モータ４８とからなる。景品把持部２４を昇降させる駆動ユニット２５は、Ｚ方向駆動機構４０を有する。
そして、Ｚ方向駆動機構４０を支持するベース４９は、横架部材３７に設けられたガイド部５０によりＸ方向に摺動可能に支持されている。また、ベース４９は、スクリュウ４６に螺合する螺合部４７を有しており、スクリュウ４６の回転方向によりＺ方向へ移動する。
【００２８】
また、Ｚ方向駆動機構４０は、景品把持部２４を吊下するワイヤ５１と、ワイヤ５１が巻回された昇降用リール５２と、昇降用リール５２を回転駆動するＺ方向駆動モータ５３とからなる。従って、景品把持部２４は、横架部材３７がＹ方向へ走行することにより同方向へ移動し、ベース４９がＸ方向へ走行することにより同方向へ移動する。そして、景品把持部２４は、ワイヤ５１が巻回された昇降用リール５２の回転方向に応じて昇降する。
【００２９】
そして、ガイドレール４２ｂには、Ｙ方向の手前側リミットスイッチ５５ａ、奥側リミットスイッチ５５ｂが取り付けられている。また、ガイド部５０には、Ｘ方向の左側リミットスイッチ５６ａ、右側リミットスイッチ５６ｂが取り付けられている。また、昇降用リール５２には、回転角度から景品把持部２４の昇降位置を検出する回転位置検出センサ５７が設けられている。
【００３０】
上記のように構成されたクレーン機構１５では、図１１に示されるように景品把持部２４が上昇位置Ｃ’に上昇し、且つ左端位置Ａ’、手前位置Ｂ’にあるときホームポジションとなる。
また、景品把持部２４の重量は、ワイヤ５１により支持されている。そして、景品把持部２４には、後述する開閉駆動用のソレノイドへの電源を供給するためのケーブル５８が接続されている。尚、ケーブル５８は、景品把持部２４の移動を妨げないように弛んだ状態で配設されている。
【００３１】
図１２は景品把持部２４の構成を示す正面図である。
図１２に示されるように、景品把持部２４は、ソレノイド６０が収容されたハウジング６１と、ハウジング６１の下端に回動可能に支持された２本の爪部材６２と、爪部材６２を開閉駆動するリンク機構６３とからなる。ハウジング６１は、円筒状に形成されており、上端にワイヤ５１が締結された締結部材６４が固定されている。また、ハウジング６１の外周には、リンク機構６３のリング状ブラケット６５が上下方向に摺動可能に嵌合されており、ブラケット６５と各爪部材６２との間にはロッド状のリンク６６が連結されている。
【００３２】
尚、リンク６６は、両端がピン６７，６８により回動自在に連結されている。また、爪部材６２は、ハウジング６１の下端に設けられた支持部６９により回動自在に支持されている。
また、一対の爪部材６２は、周方向で１８０度間隔となるように配置されており、各爪部材６２の先端部には、ヘら７０が設けられている。さらに、ハウジング６１の周囲には、ＵＦＯ形状に形成されたカバー７１が装着されている。このカバー７１は、内部に上記ハウジング６１，リンク機構６３等を収納する空間７１ａが形成されており、両側に爪部材６２が開動作により通過する溝７１ｂが設けられている。また、カバー７１の下側には、爪部材６２が収納される開口７１ｃが設けられている。
【００３３】
そして、リング状ブラケット６５は、ソレノイド６０により下方に吸引されるプランジャ（図示せず）に結合されている。ソレノイド６０のプランジャは、内臓されたコイルバネ（図示せず）により上方に付勢されている。そのため、爪部材６２の先端部６２ａは、図１１に示されるように開いた状態となる。
そして、景品把持部２４が景品をつかむ位置まで降下すると、ソレノイド６０が通電されてプランジャが吸引されるため、リング状ブラケット６５は下方に摺動する。リング状ブラケット６５の下動に連動して各リンク６６が爪部材６２のつけ根部分を下方に駆動する。これにより、爪部材６２の先端部６２ａが図１０及び図１１に示されるように閉じた状態となって景品をつかむことができる。
【００３４】
各爪部材６２の先端部６２ａは、リング状ブラケット６５の上動（Ｃ方向）によりＥ方向に回動して開いた状態に動作し、リング状ブラケット６５の下動（Ｄ方向）によりＦ方向に回動して閉じた状態に動作する。
図１３は制御回路及び各スイッチ，モータ等の構成を示すブロック図である。図１３に示すように、制御回路７５は、上記コイン投入口２１に設けられたコイン投入スイッチ７６と、Ｙ方向操作スイッチ１７と、Ｘ方向操作スイッチ１８と、景品検出センサ３５と、Ｙ方向駆動モータ４４と、Ｘ方向駆動モータ４８と、Ｚ方向駆動モータ５３と、手前側リミットスイッチ５５ａと、奥側リミットスイッチ５５ｂと、左側リミットスイッチ５６ａと、奥側リミットスイッチ５６ｂと、回転位置検出センサ５７と、ソレノイド６０と等と電気的に接続されている。
【００３５】
ここで、上記構成になるクレーンゲーム装置１１において、制御回路７５が実行する処理につき図１４を併せ参照して説明する。
図１４は上記制御回路７５が実行する制御処理を説明するためのフローチャートである。
プレイヤは上記クレーンゲーム装置１１でゲームを行う場合、先ずコイン投入口２１に所定金額のコインを投入する。
【００３６】
図１４に示されるように、制御回路７５は、ステップＳ１１（以下「ステップ」を省略する）でコイン投入口２１にコインが投入されてコイン投入スイッチ７６がオンになると、Ｓ１２に進み、プレイヤのクレーン操作を待つ。
Ｓ１２でプレイヤがＸ方向操作スイッチ１８を押圧操作している時間だけＸ方向駆動モータ４８を回転駆動させる。これにより、クレーン機構３５の横架部材３７に設けられたがベース４９がＸ方向へ走行し、景品把持部２４がホームポジションからＸ方向へ移動する。そのため、プレイヤは、目標とする景品のＸ方向上の位置に到着するまでＸ方向操作スイッチ１８を押圧操作し続ける。
【００３７】
次にＳ１３では、プレイヤがＹ方向操作スイッチ１７を押圧操作している時間だけＹ方向駆動モータ４４を回転駆動させる。これにより、クレーン機構１５の横架部材３７がＹ方向へ走行し、景品把持部２４がＸ方向の停止位置からＹ方向へ移動する。そのため、プレイヤは、目標とする景品のＹ方向上の位置に到着するまでＹ方向操作スイッチ１７を押圧操作し続ける。
【００３８】
次に、Ｘ方向操作スイッチ１８の押圧操作が終了すると、Ｓ１４に進み、Ｚ方向駆動モータ５３を駆動させてワイヤ５１を繰り出して景品把持部２４を降下させる。そして、景品把持部２４は、回転位置検出センサ５７により景品が並べられた景品収納室１４の底部に到着すると、Ｓ１５でソレノイド６０が通電される。これにより、それまで開いていた爪部材６２が図１２に示されるようにＦ方向に回動して閉じた状態に動作する。そのため、景品把持部２４の２本の爪部材６２の先端部分に設けられたへら７０が景品（図示せず）を下側からすくいあげる。
【００３９】
この後、Ｓ１６では、Ｚ方向駆動モータ５３が逆回転してワイヤ５１を巻き揚げて景品把持部２４を上昇させる。そして、景品把持部２４は、Ｘ方向駆動モータ４８及びＹ方向駆動モータ４４の逆回転により動作前のホームポジションに復帰する。次のＳ１７では、リミットスイッチ５５ａ，５６ａにより景品把持部２４がホームポジションに復帰したことが検出されると、上記ソレノイド６０への通電が停止される。これにより、景品把持部２４の２本の爪部材６２は、ハウジング６１に内臓されたコイルバネのバネ力によりＥ方向に回動して開いた状態となる。
【００４０】
ここで、景品把持部２４の爪部材６２が景品を把持しているときは、ホームポジションに運搬された景品が景品投入口２２に投入される。そして、プレイヤは、筐体１２の前面側に設けられた景品受取口２０から景品を受け取ることができる。
次のＳ１８では、景品排出ダクト３４に設けられた景品検出センサ３５が景品を検出したかどうかをチェックしており、景品検出センサ３５から検出信号が出力されたときは、景品が取り出されたものと判断し、Ｓ１９で例えば景品収納部１２ａの照明を点滅させたり、あるいは「大当たり」と言った音声を発声させた後、Ｓ２０でゲームオーバとなって今回の制御処理を終了する。
【００４１】
しかし、上記Ｓ１８において、景品検出センサ２９の出力がオフであるときは、Ｓ２１に進み、例えば「ハズレです」と言った音声を発声させた後、Ｓ２０でゲームオーバとなって今回の制御処理を終了する。
図１５は３台のクレーンゲーム装置１１を並設した状態を示す斜視図である。
図１５に示されるように、クレーンゲーム装置１１は、従来のものと比べて横幅寸法及び奥行き寸法が小さく、設置スペースが小さくて済むため、例えば狭い場所でも３台並べて設置することが可能である。このように３台のクレーンゲーム装置１１を並設することにより一層目立つ存在となり、より多くの顧客を引き付けることができる。
【００４２】
尚、上記実施の形態では、景品把持部２４の形状がＵＦＯ形に形成されたものを一例として挙げたが、これに限らず、他の形状のものを景品把持部２４としても良いのは勿論である。
【００４３】
【発明の効果】
上述の如く、請求項１記載の発明によれば、筐体の背面から片持ち構造により筐体前面に向けて支持される固定ガイド部に横架された移動ガイド部に支持された景品把持部を移動させて景品を獲得するため、前面側にガイド機構を設けない構成となり、プレイヤから筐体内部が見やすくなり、景品把持部の動きを視認しやすくなる。そのため、景品把持部の動きが見やすいので、子供がプレイしやすくなるよう装置の上面高さ低くすることが可能になる。
【００４４】
請求項２の発明によれば、固定ガイド部が筐体の上面近傍に設けられたため、プレイヤから筐体内部が見やすくなり、景品把持部の動きを視認しやすくなる。
【００４５】
請求項３の発明によれば、筐体の少なくとも前面及び上面を覆う透明カバーを有するため、筐体の上端高さを低くして子供がプレイする場合は透明カバーの前面より把持部の動きを見やすくでき、大人がプレイする場合は透明カバーの前面又は上面から把持部の動きを見ることができる。また、他のゲーム装置と並べられても違和感がなく周囲のゲーム装置とデザイン的に融合して設置しやすくなる。また、プレイヤに対し天井の照明が窓ガラスで反射しにくいので、筐体内部の状態が確認しやすくなり、プレイヤの負担を軽減することができる。
請求項４の発明によれば、透明カバーを上方に回動させて景品収納部を全開状態にすることにより、景品の補充や交換作業が容易に行なえると共に、筐体内部のメンテナンスも容易に行なうことができる。
請求項５の発明によれば、透明カバーを上方に回動させることにより、固定ガイド部、移動ガイド部及び景品把持部が景品収納部内に支持されたままで露出するため、固定ガイド部、移動ガイド部及び景品把持部のメンテナンスも容易に行なうことができる。
【図面の簡単な説明】
【図１】本発明になる景品獲得ゲーム装置の一実施例としてのクレーンゲーム装置の斜視図である。
【図２】透明カバーを開いた状態を示す斜視図である。
【図３】クレーンゲーム装置１１の正面図である。
【図４】クレーンゲーム装置１１の平面図である。
【図５】クレーンゲーム装置１１の左側面図である。
【図６】クレーンゲーム装置１１の右側面図である。
【図７】クレーンゲーム装置１１の背面図である。
【図８】クレーンゲーム装置１１の底面図である。
【図９】クレーンゲーム装置１１を右側方からみた縦断面図である。
【図１０】クレーン機構１５を斜め上方からみた斜視図である。
【図１１】クレーン機構１５を斜め下方からみた斜視図である。
【図１２】景品把持部２４の構成を示す正面図である。
【図１３】制御回路及び各スイッチ，モータ等の構成を示すブロック図である。
【図１４】制御回路７５が実行する制御処理を説明するためのフローチャートである。
【図１５】３台のクレーンゲーム装置１１を並設した状態を示す斜視図である。
【符号の説明】
１１  クレーンゲーム装置
１２  筐体
１３  透明カバー
１５  クレーン機構
１６  操作部
１７  コイン投入口
１８  Ｙ方向操作スイッチ
１９  Ｘ方向操作スイッチ
２０  景品受取口
２１  コイン返却口
２２  景品投入口
２４  景品把持部
２５  駆動ユニット
３６  フレーム
３７  横架部材
３８  Ｙ方向駆動機構
４０  Ｚ方向駆動機構
４１  Ｘ方向駆動機構
４２ａ，４２ｂ  ガイドレール
４４  Ｙ方向駆動モータ
４８  Ｘ方向駆動モータ
４９  ベース
５１  ワイヤ
５３  Ｚ方向駆動モータ
６０  ソレノイド
６１  ハウジング
６２  爪部材
６３  リンク機構
６５  リング状ブラケット
６６  リンク
７１  カバー
７５  制御回路
【図１】
0004078727.tif 000002
【図２】
0004078727.tif 000003
【図３】
0004078727.tif 000004
【図４】
0004078727.tif 000005
【図５】
0004078727.tif 000006
【図６】
0004078727.tif 000007
【図７】
0004078727.tif 000008
【図８】
0004078727.tif 000009
【図９】
0004078727.tif 000010
【図１０】
0004078727.tif 000011
【図１１】
0004078727.tif 000012
【図１２】
0004078727.tif 000013
【図１３】
0004078727.tif 000014
【図１４】
0004078727.tif 000015
【図１５】
0004078727.tif 000016